(57)【要約】  レンズ枠に羽根駆動装置を組み付けた撮像用羽根駆動装置において、レンズの性能を良好に維持することができると共に、羽根駆動装置の光学性能を高精度に調整できるようにする。撮像用羽根駆動装置は、複数のレンズを保持するレンズ枠と、レンズ枠に組み付けられる羽根駆動装置とを備え、レンズ枠は、隣接する２つのレンズ間の隙間に対応するスリットを備え、羽根駆動装置は、駆動部が収容された枠体と、枠体から突出してスリットを通すことでレンズ間の隙間に挿入される差し込み部を備え、レンズ枠又はレンズは、差し込み部に近接するレンズのレンズ機能部分に対して差し込み部側に突出する当たり面を有する。
2019065539.tif 000002
【特許請求の範囲】
【請求項１】
複数のレンズを保持するレンズ枠と、該レンズ枠に組み付けられる羽根駆動装置とを備え、
前記レンズ枠は、隣接する２つのレンズ間の隙間に対応するスリットを備え、
前記羽根駆動装置は、駆動部が収容された枠体と、該枠体から突出して前記スリットを通すことで前記隙間に挿入される差し込み部を備え、
前記レンズ枠又は前記レンズは、前記差し込み部に近接するレンズのレンズ機能部分に対して前記差し込み部側に突出する当たり面を有することを特徴とする撮像用羽根駆動装置。
【請求項２】
前記当たり面は、前記差し込み部に近接するレンズのレンズ機能部分以外に設けられることを特徴とする請求項１記載の撮像用羽根駆動装置。
【請求項３】
前記差し込み部に近接するレンズのレンズ機能部分は、凸レンズであることを特徴とする請求項１又は２記載の撮像用羽根駆動装置。
【請求項４】
前記差し込み部に近接するレンズのレンジ機能部分は、凹レンズであることを特徴とする請求項１又は２記載の撮像用羽根駆動装置。
【請求項５】
前記レンズ枠は、レンズの光軸に垂直な受け面を備え、該受け面は、前記隙間内で前記差し込み部が近接するレンズに干渉しないように、前記羽根駆動装置の枠体の一部を支持することを特徴とする請求項１〜４のいずれか１項に記載の撮像用羽根駆動装置。
【請求項６】
前記差し込み部は、前記レンズのレンズ設計上の絞り位置に挿入されることを特徴とする請求項１〜５のいずれか１項に記載の撮像用羽根駆動装置。
【請求項７】
前記差し込み部は、前記複数のレンズのレンズ設計上の絞り位置以外に挿入されることを特徴とする請求項１〜５のいずれか1項記載の撮像用羽根駆動装置。
【請求項８】
前記差し込み部に形成される開口によって前記複数のレンズの全開口径が設定されることを特徴とする請求項６又は７記載の撮像用羽根駆動装置。
【請求項９】
前記差し込み部に形成される開口以外で前記複数のレンズの全開口径が設定されることを特徴とする請求項６又は７記載の撮像用羽根駆動装置。
【請求項１０】
前記レンズ枠は、前記スリットの前側でレンズを保持する前段部と、前記スリットの後側でレンズを保持する後段部を備え、
前段部へのレンズの組み込み方向と後段部へのレンズの組み込み方向が逆方向になっていることを特徴とする請求項１〜９のいずれか1項記載の撮像用羽根駆動装置。
【請求項１１】
前記レンズ枠は、前記スリットの前側でレンズを保持する前段部と、前記スリットの後側でレンズを保持する後段部を備え、
前段部へのレンズの組み込み方向と後段部へのレンズの組み込み方向が一致していることを特徴とする請求項１〜９のいずれか1項記載の撮像用羽根駆動装置。
【請求項１２】
前記差し込み部は、羽根自体であるか羽根を収容する羽根収容体であることを特徴とする請求項１〜１１のいずれか１項記載の撮像用羽根駆動装置。
【請求項１３】
前記羽根は、光量調整用の絞り羽根であり、切り替え式に又は段階的に又は無段階に駆動されることを特徴とする請求項１２記載の撮像用羽根駆動装置。
【請求項１４】
前記羽根は、遮光用のシャッタ羽根であることを特徴とする請求項１２記載の撮像用羽根駆動装置。
【請求項１５】
前記差し込み部が挿入される前記レンズの間隔をＬｔとし、前記差し込み部における羽根のそれぞれの光軸方向厚さを、前記羽根が１枚の場合はｔ１、前記羽根が２枚の場合はｔ１，ｔ２、前記羽根が３枚の場合はｔ１，ｔ２，ｔ３とし、前記差し込み部における羽根室の光軸方向空間幅をｒとして、下記の関係が成立することを特徴とする請求項１〜１１のいずれか１項記載の撮像用羽根駆動装置。
記
前記羽根の枚数が１枚の場合；
２×ｒ≦Ｌｔ、３×ｒ＞Ｌｔ、２×ｔ１≦Ｌｔ
前記羽根の枚数が２枚の場合；
２×ｒ≒Ｌｔ、２×（ｔ１＋ｔ２）≒ｒ
前記羽根の枚数が３枚の場合；
２×ｒ＞Ｌｔ、２×（ｔ１＋ｔ２＋ｔ３）≧ｒ
【請求項１６】
前記差し込み部内には光学フィルタが設けられることを特徴とする請求項１〜１１のいずれか１項記載の撮像用羽根駆動装置。
【請求項１７】
前記光学フィルタが、２枚の保護羽根で挟まれたフィルタを備え、
前記差し込み部が挿入されるレンズの間の間隔をＬｔとし、前記差し込み部における羽根室の光軸方向空間幅をｒとして、下記の関係が成立することを特徴とする請求項１６記載の撮像用羽根駆動装置。
記
２×ｒ＞Ｌｔ、２×（フィルタと保護羽根の合計厚さ）＞ｒ
【請求項１８】
請求項１〜１７のいずれか1項に記載の撮像用羽根駆動装置を備えた撮像装置。
【請求項１９】
請求項１〜１７のいずれか1項に記載の撮像用羽根駆動装置を備えた携帯電子機器。
【発明の詳細な説明】
【技術分野】
【０００１】
本発明は、レンズ枠に羽根駆動装置を組み付けた撮像用羽根駆動装置に関するものである。
【背景技術】
【０００２】
レンズ枠の側面にスリットを設け、羽根駆動装置の駆動部から開口を有する差し込み部（地板）を突出させ、この差し込み部をレンズ枠のスリットに挿入することで、レンズ枠と羽根駆動装置を一体に組み付ける撮像用羽根駆動装置が知られている（特許文献１参照）。【０００３】
従来の撮像用羽根駆動装置は、一対の地板からなる差し込み部に絞り羽根を摺動自在に保持する羽根室が設けられており、レンズ枠に保持される複数レンズの間に差し込み部を挿入することで、差し込み部の開口を複数レンズの光軸上に配置し、レンズ枠の外側に配置される駆動部の動作で、羽根室内の絞り羽根を摺動させて、絞り量を制御している。
【先行技術文献】
【特許文献】
【０００４】
【特許文献１】特開２０１７−４０８１４号公報
【発明の概要】
【発明が解決しようとする課題】
【０００５】
このような撮像用羽根駆動装置は、レンズ枠内では、レンズとレンズの間の隙間を通って差し込み部が挿入されるので、挿入中に差し込み部がレンズの表面に接触すると、レンズに傷が付くなどしてレンズの性能が低下してしまう不具合が生じる。【０００６】
また、羽根駆動装置の差し込み部は、薄厚状の部材であるから、挿入中にレンズやレンズ枠に干渉すると、差し込み部或いは差し込み部の内部に収容されている羽根が変形するなどして、羽根駆動装置の光学性能を高精度に維持することができなくなる問題が生じる。【０００７】
本発明は、このような問題に対処するために提案されたものである。すなわち、本発明は、レンズ枠に羽根駆動装置を組み付ける撮像用羽根駆動装置において、レンズの性能を良好に維持することができると共に、羽根駆動装置の光学性能を高精度に維持できるようにすること、などを課題としている。
【課題を解決するための手段】
【０００８】
このような課題を解決するために、本発明は、以下の構成を具備するものである。【０００９】
複数のレンズを保持するレンズ枠と、該レンズ枠に組み付けられる羽根駆動装置とを備え、前記レンズ枠は、隣接する２つのレンズ間の隙間に対応するスリットを備え、前記羽根駆動装置は、駆動部が収容された枠体と、該枠体から突出して前記スリットを通すことで前記隙間に挿入される差し込み部を備え、前記レンズ枠又は前記レンズは、前記差し込み部に近接するレンズのレンズ機能部分に対して前記差し込み部側に突出する当たり面を有することを特徴とする撮像用羽根駆動装置。
【図面の簡単な説明】
【００１０】
【図１】本発明の実施形態に係る撮像用羽根駆動装置の外観図（（ａ）が斜視図、（ｂ）が平面図）である。
【図２】本発明の実施形態に係る撮像用羽根駆動装置の断面図（図１（ｂ）におけるＡ−Ａ断面図、但し、羽根駆動装置の内部構造省略）である。（ａ）がレンズＬ３が凸レンズの例であり、（ｂ）がレンズＬ３が凹レンズの例である。
【図３】本発明の実施形態に係る撮像用羽根駆動装置の断面図（図１（ｂ）におけるＢ−Ｂ断面図、但し、羽根駆動装置の内部構造省略）である。
【図４】羽根駆動装置の内部構造を示す説明図である。
【図５】本発明の他の実施形態に係る撮像用羽根駆動装置の断面図（図１（ｂ）におけるＡ−Ａ断面図、但し、羽根駆動装置の内部構造省略）である。
【図６】差し込み部の開口の機能を示した説明図（（ａ）がレンズＬ３が凹レンズの例であり、（ｂ）がレンズＬ３が凸レンズの例である。）である。
【図７】差し込み部の開口の機能を示した説明図（（ａ）がレンズＬ３が凹レンズの例であり、（ｂ）がレンズＬ３が凸レンズの例である。）である。
【図８】レンズ間隔と羽根駆動装置の差し込み部の寸法関係を示した説明図である。
【図９】本発明の実施形態に係る撮像用羽根駆動装置を備えた撮像装置を示した説明図（断面図、但し、羽根駆動装置の内部構造省略）である。
【図１０】本発明の実施形態に係る撮像用羽根駆動装置を備えた携帯情報端末（携帯電子機器）を示した説明図である。
【発明を実施するための形態】
【００１１】
以下、図面を参照して本発明の実施形態を説明する。以下の説明で、異なる図における同一符号は同一機能の部位を示しており、各図における重複説明は適宜省略する。
【００１２】
図１〜図３に示すように、撮像用羽根駆動装置１は、レンズ枠２と、レンズ枠２に組み付けられる羽根駆動装置３とを備えている。レンズ枠（レンズバレル）２は、複数のレンズＬ１〜Ｌ５を保持しており、隣接する２つのレンズＬ２とレンズＬ３の間の隙間に対応するスリット２Ｓを備えている。なお、図示の例では、レンズＬ２とレンズＬ３との間にスリット２Ｓを設けているが、スリット２Ｓは、他の隣接するレンズ間に隙間を設けて、その隙間に対応するように設けてもよい。
【００１３】
図示のレンズ枠２は、スリット２Ｓの前側でレンズＬ１，Ｌ２を保持する前段部２Ａと、スリット２Ｓの後側でレンズＬ３，Ｌ４，Ｌ５を保持する後段部２Ｂを備えており、前段部２Ａの外径Ｄ１よりも後段部２Ｂの外径Ｄ２を大きくすることで、後段部２Ｂ上に段部ａを設けている。なお、ここでの前側はレンズ枠２の光入射側であり、後側はレンズ枠２の光出射側である。
【００１４】
また、図示のレンズ枠２は、一対のスリット２Ｓが設けられていない部分が前段部２Ａと後段部２Ｂを連結する連結部２Ｃになっている。連結部２Ｃは、前述した段部ａ上の面と平行な上面を有しており、この上面がレンズＬ１〜Ｌ５の光軸Ｏに垂直な受け面ｂになっている。
【００１５】
これに対して、羽根駆動装置３は、駆動部が収容された枠体３Ａと、枠体３Ａから突出した差し込み部３Ｂを備えている。差し込み部３Ｂは、レンズ枠２のスリット２Ｓを通すことで、レンズＬ２とレンズＬ３の間の隙間に挿入される部材であって、羽根自体であってもよいし、羽根が収容される羽根収容体であってもよい。羽根駆動装置３の枠体３Ａは、レンズ枠２の一部を収容する凹部ｃを備えており、この凹部ｃに差し込み部３Ｂが突出している。
【００１６】
図４は、羽根駆動装置３の内部構造の一例を示している。図示の例では、２つの羽根３０，３１が羽根収容体３２の内部に収容されている。羽根収容体３２は、薄厚状の羽根室３２Ｓに羽根３０，３１を収容して、その一部が枠体３Ａ内に収容され、開口ｄを有する差し込み部３Ｂが枠体３Ａから突出している。
【００１７】
枠体３Ａ内では、連動部材３３の中央部が枠体３Ａの内部に設けられる軸３４に回転自在に軸支されている。連動部材３３は、軸３４に対して左右一方に延びるアームの端部に係合部（係合突起）３３Ａが設けられ、軸３４に対して左右他方に延びるアームの端部に係合部（係合突起）３３Ｂが設けられている。
【００１８】
連動部材３３は２つの羽根３０，３１の動作を連動させる部材であり、一端側の係合部３３Ａが羽根３０の被係合部（係合孔）３０Ｐに係合しており、他端側の係合部３３Ｂが羽根３１の被係合部（係合孔）３１Ｐに係合している。また、羽根３０，３１は、差し込み部３Ｂの突出方向に延設される長孔状のガイド孔３０Ｇ，３１Ｇをそれぞれ備えており、このガイド孔３０Ｇ，３１Ｇが枠体３Ａのガイド突起３５に係合している。
【００１９】
図４に示した羽根駆動装置３における羽根３０，３１は、絞り羽根であり、羽根３０，３１には、それぞれ絞り開口３０Ａ，３１Ａが形成されて、この絞り開口３０Ａ，３１Ａが差し込み部３Ｂに設けられている開口ｄと重なるように配置されている。駆動源への通電で連動部材３３を軸３４の回りに右回り又は左回りに回動させると、羽根３０，３１は、互いに逆向きに摺動して、絞り開口３０Ａ，３１Ａと開口ｄとが重なる光透過面積（透過光量）を連続的に大きく又は小さく調整する。図示の例では、羽根３０，３１を無段階に駆動する例を示しているが、駆動部の形態として、羽根を段階的に駆動するものであってもよいし、羽根を切り替え式に駆動するものであってもよい。
【００２０】
また、図４の例では、羽根３０，３１を絞り羽根としているが、羽根３０，３１は、開口ｄに入る光を透過又は遮光するシャッタ羽根であってもよいし、開口ｄを通過する光の波長や強度を選択的に調整する光学フィルタなどであってもよい。
【００２１】
レンズ枠２は、スリット２Ｓに挿入される差し込み部３Ｂに近接するレンズＬ２，Ｌ３のレンズ機能部分Ｌｆに対して、差し込み部３Ｂ側に突出する当たり面ｅを備えている。図２（ａ）は、レンズＬ３が凸レンズの例を示しており、レンズＬ３のレンズ機能部分Ｌｆ以外の部分に当たり面ｅを設けている。この当たり面ｅは、レンズ機能部分Ｌｆの凸レンズの中心部より更に差し込み部３Ｂ側に突出している。図２（ｂ）は、レンズＬ３が凹レンズの例を示しており、レンズＬ３のレンズ機能部分Ｌｆ以外の部分に当たり面ｅを設けている。図示の例では、レンズＬ２，Ｌ３に当たり面ｅを設けているが、レンズ枠２に当たり面を設けても良い。
【００２２】
このような撮像用羽根駆動装置１は、羽根駆動装置３の差し込み部３Ｂをレンズ枠２のスリット２Ｓに挿入する際に、差し込み部３Ｂは、前述した当たり面ｅに摺接しながらレンズＬ２とレンズＬ３との隙間に挿入される。この際、当たり面ｅは、レンズＬ２，Ｌ３のレンズ機能部分Ｌｆより差し込み部３Ｂ側に突出しているので、差し込み部３Ｂはレンズ機能部分Ｌｆに接触すること無く、レンズＬ２，Ｌ３間の隙間に挿入される。これによって、差し込み部３ＢがレンズＬ２，Ｌ３のレンズ機能部分Ｌｆに接触してレンズＬ２，Ｌ３のレンズ性能が低下するといった不具合を抑止することができる。
【００２３】
また、当たり面ｅは、スリット２Ｓの間隔の内側に突出するように形成されている。このため、当たり面ｅ上を摺接しながら差し込み３Ｂが挿入されると、当たり面ｅにガイドされた状態で他の部位に干渉すること無く一対のスリット２Ｓ間に挿入される。この際、差し込み部３Ｂは、レンズＬ２，Ｌ３のレンズ機能部分Ｌｆに接触することを回避できるだけで無く、スリット２Ｓのエッジ部分などに突き当たることを回避することができる。これにより、差し込み部３Ｂの衝突で差し込み部３Ｂ或いは差し込み部３Ｂの内部に収容されている羽根３０，３１が変形するといった不具合を抑止することでき、羽根駆動装置３の光学性能を高性能に維持することができる。
【００２４】
なお、差し込み部３Ｂは、常時当たり面ｅに接触した状態で挿入されるわけでは無い。差し込み部３Ｂは、可能であれば当たり面ｅに接触すること無く、レンズＬ２，Ｌ３間の隙間を通過することが好ましい。レンズ枠２が備える前述した受け面ｂは、レンズＬ２，Ｌ３間の隙間内で差し込み部３Ｂが近接するレンズＬ２，Ｌ３等に干渉しないように、羽根駆動装置３の枠体３Ａの一部を支持している。受け面ｂはレンズＬ１〜Ｌ５の光軸Ｏに垂直な面であるから、受け面ｂに枠体３Ａを支持した状態で差し込み部３Ｂをスリット２Ｓに挿入することで、差し込み部３Ｂは光軸Ｏを直交するように横切って移動し、レンズＬ２，Ｌ３間の隙間を安定した状態で通過する。
【００２５】
レンズ枠２のより具体的な構造例を説明する。図２（ａ），（ｂ）に示すレンズ枠２は、前述したように、前段部２Ａと後段部２Ｂを備えており、前段部２Ａの前端に光入射口ｆが設けられ、後段部２Ｂの後端に光出射口ｇが設けられ、レンズ枠２の内部はレンズＬ１〜Ｌ５が保持される空洞になっている。
【００２６】
ここで、図２（ａ），（ｂ）に示す例は、レンズＬ１〜Ｌ５が後端側（即ち、光出射口ｇ側）からＬ１，Ｌ２，Ｌ３，Ｌ４，Ｌ５の順に組み込まれており、前段部２ＡへのレンズＬ１，Ｌ２の組み込み方向と後段部２ＢへのレンズＬ３〜Ｌ５の組み込み方向が一致している。このようなレンズの組み込みを行うために、レンズＬ１〜Ｌ５の外径（Ｌｄ１〜Ｌｄ５）は、Ｌｄ１＜Ｌｄ２＜Ｌｄ３＜Ｌｄ４＜Ｌｄ５の大小関係になっており、そのレンズＬ１〜Ｌ５を保持するために、レンズ枠２の内面には、後端側（光出射口ｇ側）から前端側（光入射口ｆ側）に向けて徐々に内径が小さくなる段部が形成されている。
【００２７】
これに対して、図５に示す例は、前段部２ＡはレンズＬ２，Ｌ１の順に組み込まれて、後段部２ＢはレンズＬ３，Ｌ４，Ｌ５の順に組み込まれている。すなわち、前段部２Ａは前端側（光入射口ｆ側）からレンズＬ２，Ｌ１が組み込まれ、後段部２Ｂは後端側（光出射口ｇ側）からレンズＬ３〜Ｌ５が組み込まれており、前段部２ＡへのレンズＬ２，Ｌ１の組み込み方向と後段部２ＢへのレンズＬ３〜Ｌ５の組み込み方向が逆向きになっている。このようなレンズの組み込みを行うために、レンズＬ１〜Ｌ５の外径（Ｌｄ１〜Ｌｄ５）は、Ｌｄ１＞Ｌｄ２，Ｌｄ３＜Ｌｄ４＜Ｌｄ５の大小関係になっており、そのレンズＬ１〜Ｌ５を保持するために、レンズ枠２の内面には、前段部２Ａは、前端側から内部に向けて徐々に内径が小さくなる段部が形成され、後端部２Ｂは、後端側（光出射口ｇ側）から内部に向けて徐々に内径が小さくなる段部が形成されている。
【００２８】
図６及び図７は、差し込み部３Ｂに形成される開口ｄの機能を示している。各図に於いて（ａ）は、レンズＬ３が凹レンズの例であり、（ｂ）は、レンズＬ３が凸レンズの例である。図６（ａ），（ｂ）に示した例は、差し込み部３Ｂに形成される開口ｄによって、複数のレンズＬ１〜Ｌ５の全開口径が設定されている。すなわち、絞り羽根全開時には、レンズ枠２の光入射口ｆから入射した光のうち、開口ｄを通過した光のみがレンズＬ１〜Ｌ５によって不図示の撮像面に集光することになる。
【００２９】
これに対して、図７（ａ），（ｂ）に示した例は、差し込み部３Ｂに形成される開口ｄ以外で複数のレンズＬ１〜Ｌ５の全開口が設定されている。図示の例では、光入射口ｆによって全開口径が設定されており、絞り羽根全開時には、レンズ枠２の光入射口ｆから入射した光が全てレンズＬ１〜Ｌ５によって不図示の撮像面に集光することになる。
【００３０】
ここで、図６及び図７に示した例において、図６（ａ）と図７（ａ）は、差し込み部３Ｂの開口ｄがレンズＬ１〜Ｌ５のレンズ設計上の絞り位置に挿入されている。これに対して、図６（ｂ）と図７（ｂ）は、差し込み部３Ｂの開口ｄがレンズＬ１〜Ｌ５のレンズ設計上の絞り位置以外に挿入されている。このように、差し込み部３Ｂは、レンズ枠２に保持されたレンズ系のレンズ設計上の絞り位置に合わせるように挿入しても、それ以外の位置に挿入しても良い。差し込み部３Ｂをレンズ設計上の絞り位置以外の位置に挿入する場合には、撮像された像は外周の光線を一部カットする状態となるため、必要に応じて適宜画像補正が施される。
【００３１】
以上説明したように、本発明の実施形態に係る撮像用羽根駆動装置１は、羽根駆動装置３の差し込み部３Ｂをレンズ枠２のレンズ間の隙間に挿入するに際して、レンズの性能を低下させることが無く、また、羽根の光学性能を高精度に維持することができる。これによって、高い光学性能を維持した撮像用羽根駆動装置１を得ることができる。
【００３２】
図８は、羽根駆動装置３の差し込み部３Ｂの内部部品の光軸方向厚さと、差し込み部３Ｂが挿入されるレンズ間隔との関係を示している。２つのレンズＬ２，Ｌ３のレンズ間に羽根駆動装置３の差し込み部３Ｂを挿入する撮像用羽根駆動装置１においては、レンズ群の光学設計上は、レンズ間隔を可能な限り狭くする設計が望ましいが、差し込み部３Ｂを挿入する関係上、差し込み部３Ｂの内部部品の光軸方向厚さとレンズ間隔は、適正な寸法関係にする必要がある。
【００３３】
ここで、図８に示すように、差し込み部３Ｂが挿入される前側のレンズＬ２と後側のレンズＬ３の間のレンズ間隔をＬｔとし、羽根３０（３１）のそれぞれの光軸方向厚さを、図示のように羽根３０，３１が２枚の場合はｔ１，ｔ２、羽根が３枚の場合はそれぞれｔ１，ｔ２，ｔ３とし、羽根室３２Ｓの光軸方向空間幅をｒとする場合には、下記の関係が成立するように寸法設計を行うことが好ましい。
【００３４】
羽根の枚数が１枚（厚さｔ１）の場合；
２×ｒ≦Ｌｔ、３×ｒ＞Ｌｔ、２×ｔ１≦Ｌｔ
【００３５】
羽根の枚数が２枚（各厚さｔ１，ｔ２）の場合；
２×ｒ≒Ｌｔ、２×（ｔ１＋ｔ２）≒ｒ
【００３６】
羽根の枚数が３枚（各厚さｔ１，ｔ２，ｔ３）の場合；
２×ｒ＞Ｌｔ、２×（ｔ１＋ｔ２＋ｔ３）≧ｒ
【００３７】
なお、羽根の換わりに光学フィルタを配置し、光学フィルタが２枚の保護羽根で挟まれたフィルタである場合には、以下のようにすることが好ましい。
２×ｒ＞Ｌｔ、２×（フィルタと保護羽根の合計厚さ）＞ｒ
【００３８】
また、羽根室３２Ｓが一対の板状体の間に中間体を配置して形成されている場合には、中間体の光軸方向厚さｍが羽根室３２Ｓの光軸方向空間幅ｒになるので、上記の関係は以下のように書き換えることができる。
【００３９】
羽根の枚数が１枚（厚さｔ１）の場合；
２×ｍ≦Ｌｔ、３×ｍ＞Ｌｔ、２×ｔ１≦Ｌｔ
【００４０】
羽根の枚数が２枚（各厚さｔ１，ｔ２）の場合；
２×ｍ≒Ｌｔ、２×（ｔ１＋ｔ２）≒ｍ
【００４１】
羽根の枚数が３枚（各厚さｔ１，ｔ２，ｔ３）の場合；
２×ｍ＞Ｌｔ、２×（ｔ１＋ｔ２＋ｔ３）≧ｍ
【００４２】
また、羽根の換わりに光学フィルタを配置し、光学フィルタが２枚の保護羽根で挟まれたフィルタである場合には、以下のようにすることが好ましい。
２×ｍ＞Ｌｔ、２×（フィルタと保護羽根の合計厚さ）＞ｍ
【００４３】
上記のような関係で、羽根の光軸方向厚さｔ１，ｔ２，ｔ３と、羽根室３２Ｓの光軸方向空間幅ｒ（ｍ）と、差し込み部３Ｂが挿入されるレンズ間隔Ｌｔの関係を設定することで、レンズＬ２，Ｌ３間に円滑に差し込み部３Ｂを挿入することができると共に、差し込み部３Ｂ内に形成された羽根室３２Ｓ内の羽根を円滑に動作させることができる。
【００４４】
図９は、撮像用羽根駆動装置１を備えた光学ユニットとしての撮像装置１００を示している。羽根駆動装置３は、前述したようにレンズ枠２に組み付けて、撮像素子１０１が搭載された筐体１００Ａに実装することで、撮像蔵置１００を構成することができる。また、他の光学部品に対して羽根駆動装置３を組み付けることで、各種の光学ユニットを得ることができる。このような撮像装置１００或いは光学ユニットは、薄厚化が可能であり、光軸方向に沿った設置スペースを省スペース化することができる。また、レンズ枠２などの調整を行った後に羽根駆動装置３を組み付けて一体化することができるので、簡易且つ精度の高い調整が可能であり、且つ羽根駆動装置３を一体化した簡易な実装が可能になる。
【００４５】
図１０は、前述した撮像装置１００を備える携帯電子機器（携帯情報端末）２００を示している。スマートホンなどの携帯電子機器２００は、内部に実装するユニットの厚さが厳しく制限されるが、前述した撮像装置１００は、レンズ枠２の厚さ内に羽根駆動装置３を収めて組み付けることで薄厚化を可能にするので、高い携帯性或いはデザイン性を追求した携帯電子機器２００にスペース効率よく実装することができる。
【００４６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。特に、前述した実施形態では、羽根駆動装置３の枠体３Ａと差し込み部３Ｂを有する羽根収容体３２とを別部材で構成しているが、枠体３Ａと一体に差し込み部３Ｂを有する羽根収容体３２を構成して、枠体３Ａ内の駆動枠室と羽根収容体３０の羽根室を仕切りによって分離することもできる。
【符号の説明】
【００４７】
１：撮像用羽根駆動装置，
２：レンズ枠， ２Ａ：前段部，２Ｂ：後段部，２Ｃ：連結部，
２Ｓ：スリット，
３：羽根駆動装置，３Ａ：枠体，３Ｂ：差し込み部，
３０，３１：羽根，３０Ａ，３１Ａ：絞り開口，
３０Ｐ，３１Ｐ：被係合部（係合孔），３０Ｇ，３１Ｇ：ガイド孔，
３２：羽根収容体，３２Ｓ：羽根室，
３３：連動部材，３３Ａ，３３Ｂ：係合部（係合突起），３４：軸，
３５：ガイド突起，
Ｌ１〜Ｌ５：レンズ，Ｌｆ：レンズ機能部分，ａ：段部，ｂ：受け面，
ｃ：凹部，ｄ：開口，ｅ：当たり面，ｆ：光入射口，ｇ：光出射口，
Ｄ１，Ｄ２：外径，Ｏ：光軸
【図１】
2019065539.tif 000003
【図２】
2019065539.tif 000004
【図３】
2019065539.tif 000005
【図４】
2019065539.tif 000006
【図５】
2019065539.tif 000007
【図６】
2019065539.tif 000008
【図７】
2019065539.tif 000009
【図８】
2019065539.tif 000010
【図９】
2019065539.tif 000011
【図１０】
2019065539.tif 000012
【国際調査報告】
2019065539.tif 000013
2019065539.tif 000014